(57)【要約】      （修正有）【課題】楽曲データを記録媒体に記録する際に、未記録の楽曲データのデータ量や記録に要する残りの時間等を簡易に求めることのできる記録装置、記録方法および制御プログラムを提供する。【解決手段】記録装置１に外部記録媒体１１から記録対象の楽曲データおよび楽曲データの再生時間に関する情報を取得する楽曲データ取得部１０と、所定の記録ビットレートで楽曲データを記録データとして記録媒体２１に記録する記録部２０と、記録部２０における記録データの記録進行状況を表示する表示部５１と、楽曲データの再生時間および記録ビットレートから記録データを記録媒体２１に記録する際に要するデータ容量を求め、当該データ容量と記録媒体２１に占める記録済みデータ量とから未記録データ量を求め、当該未記録データ量に基づいて表示部５１に記録進行状況を表示させる制御部６０と、を備えさせる。【選択図】図１
2007250151.tif 000002
【特許請求の範囲】
【請求項１】
外部記録媒体から記録対象の楽曲データおよび前記楽曲データの再生時間に関する情報を取得する楽曲データ取得部と、
所定の記録ビットレートで前記楽曲データを記録データとして記録媒体に記録する記録部と、
前記記録部における前記記録データの記録進行状況を表示する表示部と、
前記楽曲データの再生時間および前記記録ビットレートから前記記録データを記録媒体に記録する際に要するデータ容量を求め、当該データ容量と前記記録媒体に占める記録済みデータ量とから未記録データ量を求め、当該未記録データ量に基づいて前記表示部に前記記録進行状況を表示させる制御部と、
を備えたことを特徴とする記録装置。
【請求項２】
請求項１記載の記録装置において、
前記制御部は、前記未記録データの再生に要する時間を前記記録進行状況として前記表示部に表示させること、
を特徴とする記録装置。
【請求項３】
請求項１記載の記録装置において、
前記制御部は、前記記録済みデータ量を前記記録媒体に記録する際に要した時間と、前記未記録データ量とから、前記未記録の楽曲データを前記記録媒体に記録する際に要する所要時間を求め、当該所要時間を前記進行状況表示として前記表示部に表示させること、
を特徴とする記録装置。
【請求項４】
表示部を備えた記録装置により記録媒体に楽曲データを記録する記録方法において、
外部記録媒体から記録対象の楽曲データおよび前記楽曲データの再生時間に関する情報を取得する過程と、
所定の記録ビットレートで前記楽曲データを記録データとして記録媒体に記録する過程と、
前記楽曲データの再生時間および前記記録ビットレートから前記記録データを記録媒体に記録する際に要するデータ容量を求め、当該データ容量と前記記録媒体に占める記録済みデータ量とから未記録データ量を求め、当該未記録データ量に基づいて前記表示部に前記記録進行状況を表示させる過程とを備えたこと、
を特徴とする記録方法。
【請求項５】
楽曲データ取得部と、記録部と、表示部とを備えた記録装置をコンピュータを用いて制御する制御プログラムにおいて、
前記楽曲データ取得部に、外部記録媒体から記録対象の楽曲データおよび前記楽曲データの再生時間に関する情報を取得させ、
前記記録部に、所定の記録ビットレートで前記楽曲データを記録データとして記録媒体に記録させ、
前記楽曲データの再生時間および前記記録ビットレートから前記記録データを記録媒体に記録する際に要するデータ容量を求め、当該データ容量と前記記録媒体に占める記録済みデータ量とから未記録データ量を求め、当該未記録データ量に基づいて前記表示部に前記記録進行状況を表示させること、
を特徴とする制御プログラム。
【発明の詳細な説明】
【技術分野】
【０００１】
本発明は、楽曲データを記録媒体に記録する記録装置、記録方法および制御プログラムに関する。
【背景技術】
【０００２】
従来、音楽ＣＤ（コンパクトディスク）などの外部記録媒体から供給される楽曲データ等を再生させる際に、外部記録媒体に含まれる楽曲データ等をハードディスク装置（以下、「ＨＤＤ」という）等の記録媒体に記録、すなわち録音させることのできる記録装置が知られている。このような装置として、例えば、外部記録媒体に記録された楽曲データを２倍速、４倍速など通常の再生速度よりも速い速度で読み出して、記録媒体に通常の再生速度よりも速い速度で録音させて、記録媒体に録音された楽曲データを通常の再生速度で再生させることが行われている（例えば、特許文献１参照）。
【特許文献１】特開２００１−１５５４１１号公報
【発明の開示】
【発明が解決しようとする課題】
【０００３】
ところで、音楽ＣＤの表面に傷がある等により外部記録媒体から楽曲データ等の読み込みに支障がある場合、楽曲データ等の読み込み速度が落ち、所望の速度で楽曲データを読み出すことができない場合がある。外部記録媒体から楽曲データを読み出す速度が所望の速度に対して変動すると、記録媒体に楽曲データが録音される速度も所望の速度から変動することになり、従来の記録装置では楽曲データの読出速度等から、録音されたデータ量等を求め、録音進行状況の表示等を行うために録音に要する残り時間を簡易に算出するのは困難であった。
【０００４】
すなわち、録音に要する残り時間を求める際には、楽曲データの読出速度の変動を考慮する必要があるため、録音対象の全楽曲データの再生に要する時間と、録音開始時からの時間経過と、録音時に設定された楽曲データの読出速度（例えば、２倍速、４倍速等）に基づいた単純な計算では、録音されていない楽曲データのデータ量や録音に要する残りの所要時間を簡易に算出することができなかった。
【０００５】
本発明の課題は、楽曲データを記録媒体に記録する際に、未記録の楽曲データのデータ量や記録に要する残りの時間等を簡易に求めることのできる記録装置、記録方法および制御プログラムを提供することにある。
【課題を解決するための手段】
【０００６】
上記課題を解決するため、本発明の記録装置は、外部記録媒体から記録対象の楽曲データおよび前記楽曲データの再生時間に関する情報を取得する楽曲データ取得部と、前記楽曲データを所定の記録ビットレートで記録データとして記録媒体に記録する記録部と、前記記録部における前記記録データの記録進行状況を表示する表示部と、前記楽曲データの再生時間および前記記録ビットレートから前記記録データを記録媒体に記録する際に要するデータ容量を求め、当該データ容量と前記記録媒体に占める記録済みデータ量とから未記録データ量を求め、当該未記録データ量に基づいて前記表示部に前記記録進行状況を表示させる制御部と、を備えたことを特徴とする。
この構成によれば、楽曲データを記録媒体に記録する際に、外部記録媒体から楽曲データを取得する際の読出速度が変動しても、楽曲データの再生時間に関する情報と、予め設定された記録ビットレートとから、記録データを記録する際に要するデータ容量を求め、このデータ容量と、記録済みデータ量とから未記録データ量を求めるので、正確な未記録データ量を簡易に求めることができる。そして、未記録データ量に基づいて、表示部に正確な記録進行状況を表示することができる。
【０００７】
上記構成の記録装置において、前記制御部に、前記未記録データの再生に要する時間を前記記録進行状況として前記表示部に表示させてもよい。
【０００８】
また、上記構成の記録装置において、前記制御部に、前記記録済みデータ量を前記記録媒体に記録する際に要した時間と、前記未記録データ量とから、前記未記録の楽曲データを前記記録媒体に記録する際に要する所要時間を求め、当該所要時間を前記進行状況表示として前記表示部に表示させてもよい。
【０００９】
また、本発明の記録方法は、表示部を備えた記録装置により記録媒体に楽曲データを記録する記録方法において、外部記録媒体から記録対象の楽曲データおよび前記楽曲データの再生時間に関する情報を取得する過程と、前記楽曲データを所定の記録ビットレートで記録データとして記録媒体に記録する過程と、前記楽曲データの再生時間および前記記録ビットレートから前記記録データを記録媒体に記録する際に要するデータ容量を求め、当該データ容量と前記記録媒体に占める記録済みデータ量とから未記録データ量を求め、当該未記録データ量に基づいて前記表示部に前記記録進行状況を表示させる過程とを備えたこと、を特徴とする。
【００１０】
また、本発明の制御プログラムは、楽曲データ取得部と、記録部と、表示部とを備えた記録装置をコンピュータを用いて制御する制御プログラムにおいて、前記楽曲データ取得部に、外部記録媒体から記録対象の楽曲データおよび前記楽曲データの再生時間に関する情報を取得させ、前記記録部に、前記楽曲データを所定の記録ビットレートで記録データとして記録媒体に記録させ、前記楽曲データの再生時間および前記記録ビットレートから前記記録データを記録媒体に記録する際に要するデータ容量を求め、当該データ容量と前記記録媒体に占める記録済みデータ量とから未記録データ量を求め、当該未記録データ量に基づいて前記表示部に前記記録進行状況を表示させること、を特徴とする。
【発明の効果】
【００１１】
本発明によれば、楽曲データを記録媒体に記録する際に、未記録の楽曲データのデータ量や記録に要する残りの時間等を簡易に求めることができる。
【発明を実施するための最良の形態】
【００１２】
以下、図面を参照して、本発明の実施の形態を説明する。
図１に本実施の形態の記録装置１の主要構成を示す。図１に示すように、記録装置１は、外部記録媒体再生部（楽曲データ取得部）１０と、記録部２０と、信号処理部３０と、音声出力部４０と、表示・入力部５０と、制御部６０と、計時部７０とを備えている。本実施の形態の記録装置１は、外部記録媒体１１に記録された楽曲データを２倍速または４倍速など通常の再生速度よりも早い速度で読み出して記録部２０が備える記録媒体２１に録音データ（記録データ）として録音（記録）しながら、録音と並行して記録媒体２１に録音された録音データを通常の再生速度で再生する機能を有し、当該録音データの録音進行状況（記録進行状況）を記録媒体２１に録音されていく録音データのデータ量の推移に基づき表示するようになっている。以下、各構成要素について説明する。
【００１３】
外部記録媒体再生部１０は、外部記録媒体１１を取り外し自在に接続し、外部記録媒体１１に記録された楽曲データを等倍速（通常の再生速度）、２倍速、４倍速等予め設定された読出速度で読み出して、取得した楽曲データを信号処理部３０に出力するものである。本実施の形態では外部記録媒体再生部１０は、音楽用ＣＤから音楽等の楽曲データを取得するＣＤ再生装置を用いて構成される。
【００１４】
また、外部記録媒体再生部１０は、外部記録媒体１１に記録された楽曲データの再生時間に関する情報を取得する。音楽用ＣＤの場合、音楽用ＣＤに各曲の目次情報として記録されているＴＯＣ（Table Of Contents）情報を読み出して、各楽曲データの再生時間に関する情報を取得する。
【００１５】
記録部２０は、上述の通り記録媒体２１を備え、信号処理部３０から出力される楽曲データを録音データとして記録媒体２１に録音し、録音と並行して録音データを順次信号処理部３０に出力するもので、本実施の形態では記録媒体２１としてフラッシュメモリを備えて構成される。
【００１６】
信号処理部３０は、ＤＳＰ３１（Digital Signal Processor）と、ＲＡＭ３２と、ＲＯＭ３３とを備え、制御部６０の制御の下、ＲＯＭ３３に記録された制御プログラムに従い、ＲＡＭ３２の一部を作業領域として、楽曲データや録音データに対して所定の符号化方式および所定の録音ビットレートに従って符号化・復号化処理等の各種信号処理を行い、信号処理後の楽曲データや録音データを記録部２０または音声出力部４０に出力するものである。
【００１７】
ここで、符号化方式としては、例えば、ＷＭＡ（Windows（登録商標） Media Audio）、ＡＴＲＡＣ（登録商標）（ＡＴＲＡＣ、ＡＴＲＡＣ３、ＡＴＲＡＣ３ｐｌｕｓ、ＡＴＲＡＣ Advanced Lossless）、ＭＰ３（MPEG Audio Layer-3）等の種々の音声圧縮符号化方式を用いることができる。
【００１８】
また、録音ビットレートとは、楽曲データを再生時間において１秒間分（等倍速）録音する際の録音データに含まれるデジタルデータ量を示すもので、録音ビットレートが高い程、良い音質で楽曲データを録音することができるが、楽曲データを録音するために必要なデータ容量は大きくなる。例えば、１２８kbpsの録音ビットレートで楽曲データの録音を行う場合、録音データには楽曲データ１秒間分のデータ量として１２８kbit＝１６kbyteを有する。再生時間が３分の楽曲データを録音するためには、１６kbyte×１８０（ｓ）＝２．８１５Mbyteのデータ容量を必要となり、このように、録音ビットレートと録音対象とする楽曲データの再生時間とから、楽曲データを記録媒体２１に録音するために必要なデータ容量を求めることができる。
【００１９】
音声信号出力部は、アンプ４１とスピーカ４２とを備え、信号処理部３０から入力する楽曲データまたは録音データに対応する音声信号をアンプ４１で増幅してスピーカ４２を介して音声として外部に出力するものである。
【００２０】
表示・入力部５０は、液晶ディスプレイ５１と、液晶ディスプレイ５１上に配置されるキーマトリックス５２と、表示制御・入力検出部５３とを備えている。
【００２１】
液晶ディスプレイ５１には、制御部６０の制御の下、表示制御・入力検出部５３により操作画面、録音進行状況等の各種表示が行われる。
【００２２】
キーマトリックス５２は、透明な素材を用いてシート状に形成されたもので、縦横に升目のように電極を並べたスイッチを有する。液晶ディスプレイ５１に表示される操作画面に設けられた各種操作ボタンをユーザが押下操作することにより、押下位置に応じた操作指示が制御部６０に入力される。その他、表示・入力部５０は、図示しない電源投入スイッチ、音量調節ボタン等の各種操作子を有し、ユーザからの各種操作指示を受け付ける。
【００２３】
ユーザは、この表示・入力部５０を介して、外部記録媒体１１に記録された楽曲データの録音指示、録音対象の楽曲データの選択、録音時における楽曲データの読出速度（等倍速、２倍速、４倍速等）、録音時の録音ビットレートなどを指定できるようになっている。
【００２４】
制御部６０は、メインマイコン６１とサブマイコン６２を有している。
メインマイコン６１は、この記録装置１の全体の制御を行うマイクロプロセッサである。サブマイコン６２はメインマイコン６１の制御の下、主として信号処理部３０と外部記録媒体再生部１０の動作を制御するマイクロプロセッサである。
【００２５】
計時部７０は、録音時間等を計時するもので、楽曲データの録音に伴って計時を開始し、所定の時間が経過するとサブマイコン６２に所定の時間が経過したことを示す信号を出力する。
【００２６】
本実施の形態の記録装置１では、ユーザにより外部記録媒体１１が外部記録媒体再生部１０に接続されると、制御部６０の制御の下、上述のように、外部記録媒体１１に記録された楽曲データを予め設定された読出速度で読み出しながら、記録媒体２１に所定の録音ビットレートで録音し、これと並行して記録媒体２１に録音された録音データを通常の再生速度で再生する処理が自動的に行われるように設定されている。このとき、制御部６０は、楽曲データの録音と並行して録音進行状況表示処理を実行し、液晶ディスプレイ５１に、記録媒体２１に録音されていく録音データ量の推移に基づき、楽曲データの録音進行状況を表示するようになっている。
【００２７】
以下、図２を参照して、録音進行状況表示処理について説明する。
まず、図２に示すように、録音が開始されると、サブマイコン６２は録音対象の楽曲データの再生時間に関する情報を取得する（ステップＳ１）。このとき、録音対象の楽曲データ数が複数である場合には、録音対象の各楽曲データ毎の再生時間に関する情報を取得し、全楽曲データの再生に要する時間を算出する。
【００２８】
次に、サブマイコン６２は、録音対象の楽曲データの再生時間と録音ビットレートとから、楽曲データを記録媒体２１に録音する際に要するデータ容量を求める（ステップＳ２）。
【００２９】
次に、計時部７０から１／ｎ秒経過を示す信号がサブマイコン６２に入力されと（ステップＳ３：Ｙ）、サブマイコン６２は計時部７０に制御信号を送り、計時部における計時をリセットさせて、再び１／ｎ秒を計時させる（ステップＳ４）。そして、ＤＳＰ３１を介して記録媒体２１に録音された録音データのデータ量（録音済みデータ量）を取得する（ステップＳ５）。但し、上記においてｎはユーザにより予め設定された楽曲データの読出速度を指す。例えば、外部記録媒体２１から等倍速で楽曲データを読み出す場合には、ｎ＝１であり、２倍速で読み出す場合には、ｎ＝２であり、４倍速で読み出す場合には、ｎ＝４となる。
【００３０】
次に、サブマイコン６２はステップＳ２で求めた録音に要するデータ容量とステップＳ４で求めた録音済みデータ量とからまだ録音されていない楽曲データを録音データとして録音する際に必要なデータ量を求めて（ステップＳ５）、当該未録音データ量に関する情報をメインマイコン６１に受け渡す。そして、メインマイコン６１は表示・入力部５０に制御信号を送って、液晶ディスプレイ５１に録音進行状況表示をさせる（ステップＳ６）。
【００３１】
ここで、録音進行状況の表示は、未録音データ量をデータ量単位（byte等）で表示してもよいし、録音対象の楽曲データの全データ量に対する未録音データ量の割合で表示してもよいし、録音対象の楽曲データのうち、録音が完了していない楽曲データの曲数で表示してもよい。
【００３２】
また、例えば、再生時間が５分間の楽曲に対応する楽曲データを録音する場合に、５分間分に相当する再生時間で３分に相当する楽曲データの録音が完了している場合に、録音進行状況として再生時間で２分に相当する楽曲データの録音がまだ終了していない旨を録音進行状況として表示させてもよい。すなわち、まだ録音されていない楽曲データに対応する録音データの再生に要する時間（等倍速で再生する際に要する時間）を録音進行状況として表示させてもよい。
【００３３】
また、録音進行状況として、録音済みの楽曲データを録音するために要した録音平均速度を求め、当該平均速度と、未録音データ量とから未記録音データを録音するために必要な残りの所要時間を下記式（１）により求め、求めた残りの所要時間を表示するようにしてもよい。
残りの所要時間＝未録音データ量／録音平均速度…式（１）
なお、録音平均速度は、録音済みデータ量を当該録音済みデータを録音するために要した時間で除することにより求めることができる。
【００３４】
具体的に上記式（１）にあてはめる。まず、再生時間が４分の楽曲データを録音するために要するデータ容量が４Ｍｂｙｔｅであった場合、録音開始から１５秒経過した時点で、記録媒体２１に記録された録音済みの楽曲データのデータ量が１Ｍｂｙｔｅであるとする。この場合、録音平均速度は１Ｍｂｙｔｅ／１５秒となる。また、未録音データ量は、４Ｍｂｙｔｅ−１Ｍｂｙｔｅ＝３Ｍｂｙｔｅとなる。従って、残りの所要時間は、
残りの所要時間＝３Ｍｂｙｔｅ／（１Ｍｂｙｔｅ／１５秒）＝４５秒となる。
従って、この場合は残りの所要時間＝４５秒を録音進行状況として液晶ディスプレイ５１に表示する。
【００３５】
以上説明した実施の形態によれば、録音対象の楽曲データを記録媒体２１に記録する際に、外部記録媒体１１の表面に付いた傷等により外部記録媒体１１の読み込み速度が変動して、予め想定された速度で録音できなくても、録音対象の全楽曲データのデータ量と、記録媒体２１に既に録音された録音済みデータ量とからまだ録音されていない楽曲データのデータ量を簡易に求めることができる。また、実際に記録媒体２１に録音された録音データ量から未録音データ量を求めるので、録音進行状況を表示する際に、楽曲データの読出速度が変動しても正確な未録音データ量に関する情報を表示部に表示することができる。
【００３６】
但し、本発明は上記説明した実施の形態に限定されるものではなく、本発明の趣旨を逸脱しない範囲において適宜変更可能であるのは勿論である。
例えば、上記実施の形態では、外部記録媒体１１として、音楽用ＣＤを例に挙げて説明したが、外部記録媒体１１は音楽用ＣＤに限定されるものではなく、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ＤＶＤ＋Ｒ、ＤＶＤ＋ＲＷ等の光ディスク型の記録媒体や、コンパクトフラッシュ（登録商標）やＳＤ（Secure Digital）メモリカード等のフラッシュメモリを採用した記録媒体等、各種記録媒体を適用することができる。また、外部記録媒体再生部１０は、ＣＤ再生装置に限定されるものではなく、外部記録媒体の種類に応じて、外部記録媒体に記録された楽曲データを取得できる構成であればよいのは勿論である。
【００３７】
また、上記実施の形態では、記録媒体２１としてフラッシュメモリを例に挙げて説明したが、記録媒体２１はフラッシュメモリに限定されるものではなく、ハードディスク装置等の磁気記録媒体であってもよいし、上記光ディスク型の記録媒体であってもよいし、ＭＤ（Mini Disc（登録商標））等の光磁気記録媒体であってもよいし、特に限定されるものではない。また、記録部２０は記録媒体の種類に応じて、記録媒体に楽曲データを所定の形式で録音データとして録音できる構成であればよいのは勿論である。
【図面の簡単な説明】
【００３８】
【図１】本実施の形態の記録装置の機能的構成を示すブロック図である。
【図２】本実施の形態の記録装置の動作を示すフローチャートである。
【符号の説明】
【００３９】
１  記録装置
１０  外部記録媒体再生部（楽曲データ取得部）
１１  外部記録媒体
２０  記録部
２１  記録媒体
３０  信号処理部
４０  音声出力部
５０  表示・入力部
５１  液晶ディスプレイ
６０  制御部
７０  計時部
【図１】
2007250151.tif 000003
【図２】
2007250151.tif 000004